(57)【特許請求の範囲】
【請求項１】
巾木本体の端部外面側で巾木本体の長さ方向に、足場のパイプへの固定部材として板状体の先端にパイプへの掛止部として前記巾木本体の長さ方向に開口するＵ字形の切欠きを設けたフックをスライド自在に突設するとともに突出方向に付勢し、このフックに形成するＵ字形の切欠きは異なる管径のパイプに対応できるよう大径の円弧状部の内側であって前記突出方向の基端部側に小径の円弧状部を前記スライド方向に連続させて形成したことを特徴とする足場板用巾木。
【請求項２】
板状体をスライド杆に固定し、巾木本体に設けた横長コ字形の支持部材によりスライド杆をスライド自在に支承し、コイルバネを支持部材の範囲内でスライド杆に巻回した請求項１記載の足場板用巾木。
【請求項３】
巾木本体の両端部に、枠組足場の水平パイプと縦パイプとにそれぞれ掛止する垂直フックと水平フックとを突出させて取付け、水平フックは前記請求項１または請求項２記載のフックであり、垂直フックの板状体の先端に設けたＵ字形の切欠きは、想定される複数種類の管径の水平パイプに対応するよう横幅に余裕を持たせた大径に形成した請求項１または請求項２記載の足場板用巾木。
【発明の詳細な説明】
【技術分野】
【０００１】
本発明は、建設作業現場等に設置される枠組足場の足場板に取付ける巾木に関するものである。
【背景技術】
【０００２】
建設作業現場等に設置される枠組足場の足場板上での高所作業では、作業者が足元に置いたボルト、金具類等の部品や工具類などを誤って落下させることがある。
【０００３】
かかる危険を回避するため、従来から足場板の側縁に巾木を取付けているが、取付方法としては、例えば下記特許文献１の明細書の背景技術（明細書の段落番号０００２、０００３）の項にも記載されているように、帯状の板材を足場板の側縁に堰板状に立てて針金や番線で縛り付けている。
【特許文献１】特許第４０９２３６９号公報
【０００４】
また、この特許文献１の図６や明細書の段落番号００３７に記載されているように、巾木の端部にクランプを設けて止めるようにしたもののある。
【０００５】
しかしこれらの方法では、巾木の取り付けと取り外しに時間と労力を要して施工性がよくなかった。
【０００６】
そこで、かかる不都合を解消し、足場板にワンタッチ的に取付けられる巾木として、下記特許文献２に示すものがある。
【特許文献２】特許第３４３９６８４号公報
【０００７】
これは、巾木本体の外面側にセット金具が垂直姿勢と下部を外側に突き出す傾斜姿勢との間で揺動自在に枢着されるとともに、該巾木本体の下面から下方へ突出する複数の直立用金具を備え、前記セット金具は、ばね力によって垂直姿勢側に付勢され、垂直姿勢において巾木本体よりも下方へ張出する下部に内向きの係止部を備え、前記直立用金具を足場板の側縁部の取付孔に上方から挿嵌した状態で、巾木本体の下面と前記セット金具の係止部との間に側縁部が嵌合するように構成されている。
【発明の開示】
【発明が解決しようとする課題】
【０００８】
前記従来技術は、巾木をワンタッチ的に取付けられるものではあるが、巾木を足場板にセット金具で直接固定するものであり、しかも、セット金具は足場板を外側から垂直方向に押さえるだけであるため、セット金具の下側が何らかの外力によって押されると作業中であっても簡単に外れるおそれがあり、また、足場板にも取付孔を穿設する必要がある。
【０００９】
なお、近年、巾木の認定基準が改定されて、枠組足場の足場板に対して所定の高さ以上（１５ｃｍ以上）の巾木の設置が義務付けられたが、前記従来技術は、セット金具も巾木の高さに対応させる必要があり、生産性がよくない。
【００１０】
また、労働安全衛生規則の改正により巾木本体と足場板（床面）との隙間も１０ｍｍ以下とすることが規定されているが、隙間を１０ｍｍ以下にするにはセット金具の調整を必要とし、構成が複雑となる。
【００１１】
本発明の目的は前記従来例の不都合を解消し、簡単な構造で枠組み足場に巾木を容易かつ確実に固定でき、かつ、枠組み足場のパイプに係止するのにパイプ径の異なるものでも簡単に対応できる足場板用巾木を提供することにある。
【課題を解決するための手段】
【００１２】
前記目的を達成するため、請求項１記載の本発明は、巾木本体の端部外面側で巾木本体の長さ方向に、足場のパイプへの固定部材として板状体の先端にパイプへの掛止部として前記巾木本体の長さ方向に開口するＵ字形の切欠きを設けたフックをスライド自在に突設するとともに突出方向に付勢し、このフックに形成するＵ字形の切欠きは異なる管径のパイプに対応できるよう大径の円弧状部の内側であって前記突出方向の基端部側に小径の円弧状部を前記スライド方向に連続させて形成したことを要旨とするものである。
【００１３】
請求項１記載の本発明によれば、巾木本体の足場のパイプへの固定はフックにより行うが、足場のパイプを切欠き内に取り込むことで、簡単かつ迅速に行うことができる。
【００１４】
また、係止部は、管径の異なるパイプに対応させて、大径の円弧状部の内側に小径の円弧状部を連続させて形成してあるから、例えば、太径のパイプの場合は大径の円弧状部の所にこれが入り込んで係止され、細径のパイプの場合は大径の円弧状部を通り過ぎて小径の円弧状部にこれが入り込んで係止されるというように、いずれかの円弧状部を選択することで、ガタツクことなくフックをパイプに掛止できる。
【００１５】
請求項２記載の本発明は、板状体をスライド杆に固定し、巾木本体に設けた横長コ字形の支持部材によりスライド杆をスライド自在に支承し、コイルバネを支持部材の範囲内でスライド杆に巻回したことを要旨とするものである。
【００１６】
請求項２記載の本発明によれば、スライド杆を介してフックをコイルバネの伸張力で突出方向に付勢するようにしたものであり、これによりいずれかの円弧状部を選択が自動化され、しかもフックが巾木本体から突出して掛止部がパイプに押圧されて掛止される。
【００１７】
この状態で、フックには前記のようにコイルバネによってパイプの方向への押圧力が加わっているから、フックがパイプから外れることはない。
【００１８】
請求項３記載の本発明は、巾木本体の両端部に、枠組足場の水平パイプと縦パイプとにそれぞれ掛止する垂直フックと水平フックとを突出させて取付け、水平フックは前記請求項１または請求項２記載のフックであり、垂直フックの板状体の先端に設けたＵ字形の切欠きは、想定される複数種類の管径の水平パイプに対応するよう横幅に余裕を持たせた大径に形成したことを要旨とするものである。
【００１９】
請求項３記載の本発明によれば、巾木本体の足場のパイプへの固定は、板状体の先端に横向きのＵ字形の切欠きを設けた水平フックと板状体の先端に縦向きのＵ字形の切欠きを設けた垂直フックにより行うようにしたので、まず、垂直フックを水平パイプの上に被せるようにして取付け、その上で水平フックを縦パイプに差し込んで掛止することで、安定した取り付けが可能となる。
【００２０】
特に、垂直フックの掛止部の径は、想定される複数種類の管径の水平パイプに対応するよう大径に形成しておくので、水平パイプが横にずれても余裕が取れ、異なる管径のパイプに対応できる。
【００２１】
水平パイプの径は縦パイプの径の径と同一の場合もある。前記のように水平フックを縦パイプに差し込んで掛止するが、パイプの径によっては、選択する大径の円弧状部または小径の円弧状部の違いで縦パイプの位置が横にずれる。このような場合でも、垂直フックの掛止部の径は大径に形成しておくことで、対応可能なものとなる。
【００２２】
なお、垂直フックの掛止部として、水平フックの掛止部と同じような大径の円弧状部の内側に小径の円弧状部を連続させて形成したものとすると２つの径に固定され、微妙な調整はできない。
【発明の効果】
【００２３】
以上述べたように本発明の足場板用巾木は、簡単な構造で枠組み足場に巾木を容易かつ確実に固定でき、かつ、枠組み足場のパイプに係止するのにパイプ径の異なるものでも簡単に対応できるものである。
【発明を実施するための最良の形態】
【００２４】
以下、図面について本発明の実施形態を詳細に説明する。図１は本発明の足場板用巾木の実施形態を示す平面図、図２は同上正面図で、本発明の巾木１は、枠組足場の足場板に取付けるものであり、図中２は帯状の板体で構成する巾木本体で、アルミニウム合金を材質とし、外側に下向きのＬ字形に折り曲げ加工して上端に中空リブまたは折り返し部を設けている。
【００２５】
巾木本体２の両端部に、該巾木本体２の長さ方向で、枠組足場の水平パイプ４と縦パイプ５とにそれぞれ掛止する垂直フック６と水平フック７とを突出させて取付けた。
【００２６】
垂直フック６は、図２に示すように下側に拡径部分を形成した板状体６ａの先端を下向きのＵ字形の切欠きに形成し、この切欠き部を枠組足場の枠の水平パイプ４に上方から落とし込んで掛止する掛止部６ｂに形成したものである。
【００２７】
この場合、掛止部６ｂの径は、想定される複数種類の管径の水平パイプ４に対応するよう大径に形成しておく。図示で実線の水平パイプ４は径がφ４２．７のもの、鎖線の水平パイプ４は径がφ４８．６のものである。
【００２８】
前記Ｕ字形の切欠きによる掛止部６ｂは横幅広の楕円の円弧で形成し、段差を設けない一重の円弧である。なお、開口には段差を設けて拡径している。
【００２９】
前記φ４２．７またはφ４８．６の水平パイプ４はいずれも上接点がこの円弧に当接して支承されればよい。
【００３０】
前記垂直フック６は、アルミニウム合金を材質とし、巾木本体２の左右両端に固定的に取付けられ、連続して連結される巾木１の端部から対向して突出することになるが、隣接の巾木１から突出する垂直フック６がお互いにぶつかり合わないよう、図１に示すように巾木本体２の水平方向の巾方向の範囲内で突出位置を異ならせた。
【００３１】
水平フック７は、アルミニウム合金を材質とし、垂直フック６の上方位置で巾木本体２に取付けられるもので、板状体１７の先端に前記巾木本体の長さ方向に開口する横向きのＵ字形の切欠きを設けて縦パイプ５への係止部１５とし、この係止部１５が形成された板状体１７を溶接などによりスライド杆８に固定する。
【００３２】
係止部１５は、図４に示すように大小異なる管径の縦パイプ５ａ，５ｂに対応できるように、大径の円弧状部１５ｂの内側に小径の円弧状部１５ａを大径の円弧状部の内側であって前記突出方向の基端部側に小径の円弧状部を前記スライド方向に連続させて形成した。大小異なる管径の縦パイプ５ａ，５ｂは例えば、φ４２．７またはφ４８．６のパイプである。
【００３３】
このスライド杆８に板状体１７を設けた水平フック７を図５〜図９に示すが、スライド杆８は円杆であり、それに板状体１７が羽根状に結合している。
【００３４】
前記大径の円弧状部１５ｂの内側に小径の円弧状部１５ａを連続させて形成した係止部１５から外側は大径の円弧状部１５ｂを段差により拡径させた拡径入口１６とし、板状体１７の先端１７ａを開口方向に突出させ、これに対応させてスライド杆８の端８ｃも開口方向に突出させた。
【００３５】
スライド杆８の巾木本体２への取付手段は、取付板９をボルトで巾木本体２の外側面に固定し、この取付板９の外面に帯板状部材を折り曲げ加工した横長コ字形の支持部材１０を溶接などにより固定する。この場合、支持部材１０は取付板９よりも長尺のものとし、支持部材１０の後部を取付板９よりも後方に突出させる。
【００３６】
支持部材１０は、コ字形の両端部の立ち上がり部の一方にスライド杆８の挿通孔を、他方にスライド杆８の挿通孔と板状体１７が通過するスリットを一体的に形成した孔が穿設してある。これにより、スライド杆８および板状体１７は支持部材１０でスライド自在に支承される。
【００３７】
コイルバネ１２を支持部材１０の範囲内でスライド杆８に巻回し、スライド杆８の後端に抜け出し防止用のストッパー８ｂとしてのリングを取付けた。
【００３８】
前記板状体１７にはスリット１８を介してバネ係止片１９が形成され、前記コイルバネ１２は一端がこのバネ係止片１９に、他端が支持部材１０の字形の端部の立ち上がり部に当接する。
【００３９】
これにより、図３（ｂ）に示すようにスライド杆８および水平フック７はコイルバネ１２の伸張力で突出方向に付勢され、水平フック７が巾木本体２から突出して掛止部１５が縦パイプ５に押圧されて掛止される。
【００４０】
この状態で、水平フック７には前記のようにコイルバネ１２によって縦パイプ５の方向への押圧力が加わっているから、水平フック７が縦パイプ５から外れることはない。
【００４１】
なお、水平フック７を縦パイプ５に掛止していない状態でも、水平フック７には巾木本体２から突出する方向への力がコイルバネ１２によって付勢されているが、スライド杆８の後端にストッパー８ｂが設けてあり、これが支持部材１０の外側に当接するから、スライド杆８が支持部材１０から抜け出ることはない。
【００４２】
水平フック７を巾木本体２内に没入させるには、コイルバネ１２の弾力に抗して押し込めばよい。
【００４３】
ところで、本実施形態では巾木本体２は、互いにスライド可能な分割体２ａ，２ｂの組み合わせで構成して、各分割体２ａ，２ｂの端部で、前記中空リブの部分を相互に入れ子状に嵌合して、巾木本体の長さ方向に伸縮自在に形成した。中空リブの下側の板部分は重ね合わせとなる。
【００４４】
各分割体２ａ，２ｂの下部側面に長手方向にそって足場板との隙間を塞ぐアングル状の水平板体３を取付けた。
【００４５】
前記分割体２ａ，２ｂのスライド機構は、各分割体２ａ，２ｂの側面と上面とに長手方向に横長のガイド孔１３ａ，１３ｂをそれぞれ形成し、このガイド孔１３ａ，１３ｂの形成部位を対応させ、両ガイド孔１３ａ，１３ｂを貫通させてガイドピン１４を挿入した。
【００４６】
分割体２ａ，２ｂのスライドにより行う巾木本体２の伸縮の幅は、この両ガイド孔１３ａ，１３ｂの長さにより定まるが、前記足場板との隙間を塞ぐ水平板体３は、巾木本体２を縮小させた時に、各分割体２ａ，２ｂの各水平板体３端部が当接または近接するように位置付ける。
【００４７】
図示の例では、分割体２ａに設ける水平板体３はこの分割体２ａの長さと同程度の長さのものとし、分割体２ｂに設ける水平板体３は短いものとし、かつ、分割体２ｂの外側端部の方へ寄せて設ける。
【００４８】
巾木１を足場板に取付けるには、巾木本体２の分割体２ａ，２ｂを互いにスライドさせて巾木本体２の長さを足場板の長さに合致させ、巾木本体２から突出しているアングル状の板体３を足場板の側部上面に載置して巾木本体２と足場板との隙間を板体３で塞ぐ。分割体２ａ，２ｂのスライドはガイドピン１４がガイド孔１３ａ，１３ｂにそって移動することでスムーズに行われ、巾木本体２を所定の長さに調整できる。また、板体３もそれぞれの分割体２ａ，２ｂに取付けてあるから、足場板との隙間を確実にふさぐことができる。
【００４９】
次に垂直フック６を水平パイプ４の上に被せるようにして取付けたならば、水平フック７を巾木本体２から引き出して係止部１５を縦パイプ５に差し込んで掛止する。スライド杆８および水平フック７はコイルバネ１２の伸張力で突出方向に付勢され、水平フック７が巾木本体２から突出して係止部１５が縦パイプ５に押圧されて掛止される。
【００５０】
この場合、係止部１５は、管径の異なる縦パイプ５ａ，５ｂに対応させて、大径の円弧状部１５ｂの内側に小径の円弧状部１５ａを連続させて形成してあるから、いずれかの円弧状部１５ａ，１５ｂを選択することで、ガタツクことなく水平フック７を縦パイプ５に掛止できる。
【００５１】
このようにして垂直フック６と水平フック７とが枠組足場の水平パイプ４と縦パイプ５に固定されることで、巾木１が足場板の側縁に配設される。
【００５２】
前記分割体２ａ，２ｂがスライドするに対応して板体３もそれぞれの分割体２ａ，２ｂに取付けてあるから、同じだけスライドする。
【００５３】
水平板体３は、巾木本体２を最大縮小させた時に、各分割体２ａ，２ｂの各水平板体３端部が当接または近接するものである。
【００５４】
なお、巾木本体２を伸長させた時には、水平板体３の端部同士が離れ、隙間が生じるが、これはそれほど大きなものではなく、支障にはならない。
【００５５】
なお、前記実施形態では巾木本体２は長さ方向に伸縮自在に形成したものとしたが、非伸縮の巾木本体２についても本発明の水平パイプ４と縦パイプ５とにそれぞれ掛止する垂直フック６と水平フック７とを突出させて取付けることが可能である。
【図面の簡単な説明】
【００５６】
【図１】本発明の足場板用巾木の実施形態を示す平面図である。
【図２】本発明の足場板用巾木の実施形態を示す正面図である。
【図３】本発明の足場板用巾木の水平フックを巾木本体に取付けた状態の平面図である。
【図４】本発明の足場板用巾木の水平フックの平面図である。
【図５】本発明の足場板用巾木の水平フックのストッパー部分を除いた平面図である。
【図６】本発明の足場板用巾木の水平フックのストッパー部分を除いた底面図である。
【図７】本発明の足場板用巾木の水平フックのストッパー部分を除いた平面図である。
【図８】本発明の足場板用巾木の水平フックのストッパー部分を除いた左側面図である。
【図９】本発明の足場板用巾木の水平フックのストッパー部分を除いた右側面図である。
【符号の説明】
【００５７】
１  巾木                        ２  巾木本体
２ａ，２ｂ  分割体
３  板体                        ４  水平パイプ
５，５ａ，５ｂ  縦パイプ        ６  垂直フック
６ａ  板状体                    ６ｂ  掛止部
７  水平フック                  ８  スライド杆
８ｂ  ストッパー                ８ｃ  端部
９  取付板                      １０  支持部材
１２  コイルバネ                １３ａ，１３ｂ  ガイド孔
１４  ガイドピン                １５  係止部
１５ａ，１５ｂ  円弧状部
１６  拡径入口                  １７  板状体
１７ａ  先端                    １８  スリット
１９  バネ係止片
【図１】
0005498094.tif 000002
【図２】
0005498094.tif 000003
【図３】
0005498094.tif 000004
【図４】
0005498094.tif 000005
【図５】
0005498094.tif 000006
【図６】
0005498094.tif 000007
【図７】
0005498094.tif 000008
【図８】
0005498094.tif 000009
【図９】
0005498094.tif 000010